(57)【要約】【課題】  電子文書を取得するためには、この電子文書を有するサイトが規定した認証条件に適合する必要があるにもかかわらず、このことを十分認識しないで、このサイトに接続してしまうことを防止することができる端末装置を提供する。【解決手段】  表示部６に表示中の電子文書に関連付けられている他の電子文書の取得行為が当該他の電子文書を有するサイトにて規定された認証条件に適合する場合にのみ認められている可能性を示すガイダンス２４ａ、及び特定文字列を記憶する記憶部１６と、操作部８により条件確認操作が行なわれると、表示部に表示中の一の電子文書から特定文字列を検索して一致する文字列をカウントすると共に、このカウント値が所定数以上の場合にはガイダンスを表示部に表示させる制御を行なう制御部１８とを有することを特徴とする端末装置。【選択図】      図１
2006155007.tif 000002
【特許請求の範囲】
【請求項１】
任意のサイトに通信接続する通信部と、
文字や画像を含む電子文書を表示する表示部と、
前記表示部に表示される前記電子文書に対して操作を行なう操作部と、
前記表示部に表示中の電子文書に関連付けられている他の電子文書の前記通信部による取得行為が当該他の電子文書を有するサイトにて規定された認証条件に適合する場合にのみ認められている可能性を示すガイダンス、及び特定文字列を記憶する記憶部と、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる制御を行なう制御部と
を有することを特徴とする端末装置。
【請求項２】
前記記憶部は、前記特定文字列を複数記憶していることを特徴とする請求項１に記載の端末装置。
【請求項３】
前記記憶部は、前記特定文字列それぞれに点数情報を対応付けて記憶しており、
前記制御部は、前記操作部により条件確認操作がなされて前記カウントをする際に、前記特定文字列と一致する文字列の数と前記点数情報とに基づいてカウント値を算出することを特徴とする請求項２に記載の端末装置。
【請求項４】
前記特定文字列は、当該特定文字列を構成する一又は複数の文字が前記操作部により変更可能であって、変更後の文字列が前記記憶部に記憶されることを特徴とする請求項１ないし３のいずれか一に記載の端末装置。
【請求項５】
前記制御部は、前記一の電子文書が前記通信部により通信接続したサイトから取得されたものである場合に限り、前記制御動作を行なうことを特徴とする請求項１ないし４のいずれか一に記載の端末装置。
【請求項６】
前記記憶部は、前記ガイダンスをレベルに応じて複数記憶し、
前記制御部は、前記制御動作を行なう際に、当該制御動作に伴なうカウント値が前記レベルのいずれに該当するかに応じて、前記ガイダンスの一つを前記表示部に表示させることを特徴とする請求項１ないし５のいずれか一に記載の端末装置。
【請求項７】
前記制御部は、前記ガイダンスを前記表示部に表示させる制御動作を行なう際、前記一の電子文書を共に表示し、この一の電子文書中における前記特定文字列と一致する文字列を他の部分と異なる形式で表示させるよう制御することを特徴とする請求項１ないし６のいずれか一に記載の端末装置。
【請求項８】
前記ガイダンスを前記表示部に表示させる制御動作が行なわれた後に、前記一の電子文書を表示部に表示させる操作が行なわれた場合には、
前記制御部は、前記一の電子文書中における前記特定文字列と一致する文字列を他の部分と異なる形式で表示させるよう制御することを特徴とする請求項１ないし６のいずれか一に記載の端末装置。
【請求項９】
任意のサイトに通信接続する通信部と、
文字や画像を含む電子文書を表示する表示部と、
前記表示部に表示される前記電子文書に対して操作を行なう操作部と、
記憶部と
を備える端末装置の認証条件確認方法であって、
前記記憶部に、前記表示部に表示中の電子文書に関連付けられている他の電子文書の前記通信部による取得行為が当該他の電子文書を有するサイトにて規定された認証条件に適合する場合にのみ認められている可能性を示すガイダンス、及び特定文字列を記憶し、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる制御を行なうことを特徴とする端末装置の認証条件確認方法。
【請求項１０】
端末装置を、
任意のサイトに通信接続する通信手段と、
文字や画像を含む電子文書を表示する表示手段と、
前記表示手段に表示される前記電子文書に対して操作を行なう操作手段と、
前記表示手段に表示中の電子文書に関連付けられている他の電子文書の前記通信手段による取得行為が当該他の電子文書を有するサイトにて規定された認証条件に適合する場合にのみ認められている可能性を示すガイダンス、及び特定文字列を記憶する記憶手段と、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる手段
として機能させるための認証条件確認プログラム。
【発明の詳細な説明】
【技術分野】
【０００１】
本発明は、通信回線網上のサイトに接続して、このサイトが有するＷｅｂページのような電子文書を取得することができる端末装置に関するものである。
【背景技術】
【０００２】
従来において、Ｗｅｂページのような電子文書を、通信回線網を通じて取得することができる端末装置があった（例えば、特許文献１参照）。
【０００３】
ここで、電子文書とは、Ｗｅｂブラウザのようなブラウザ（閲覧用ソフトウェア）上で一度に閲覧することができる情報のまとまりであって、文字及び／又は画像の情報を含むように構成されているものをいう。この電子文書は、文字や画像の情報の他にも、音声や動画等の情報を含むように構成することができる。
【０００４】
このような電子文書は、Ｗｅｂサイトのような通信回線網上のサイトから提供されており、前記特許文献１のように、通信回線網を通じて端末装置に取得させることができると共に、端末装置内の記憶部に当初から記憶させておくこともできる。
【０００５】
ここで、サイトとは、通信回線網上に構築されるネットワークに接続された一若しくは複数のサーバによって運営される、多数のＷｅｂページのような電子文書をひとまとめにして構成されるデータ群のこと、もしくはそのサーバのデータ群のアドレスをいう。
【０００６】
また、上記のような電子文書は、端末装置の表示部に表示されているときに、その文章中の特定の部分を指定する操作が行なわれると、この特定の部分に関連付けられている他の文章や電子文書等を、端末装置の記憶部から読み出したり、通信回線網を通じて他のサイトから取得したりして、この他の文章や電子文書等を表示部に表示するハイパーリンク機能を利用することができるようになっている。
【０００７】
また、このような電子文書を提供する通信回線網上のサイトには、電子文書の提供を無料で行なっている無料サイトと、全部又は一部の電子文書の提供について料金の支払いを条件としている有料サイトがある。有料サイトから有料の電子文書を取得するためには、ユーザーは、この有料サイトの管理者等と契約する必要がある。
【０００８】
このような契約は、例えば、その有料サイト等から、契約の申込みフォームが記載されている電子文書をハイパーリンク機能を利用することにより取得した後に、この申込み用フォームの所定の欄に、ユーザーの端末装置が接続する通信回線の管理事業者が付与するユーザーＩＤ、又はユーザーのクレジットカードの番号等を入力し、これを有料サイトの管理者等に送信するだけで済ませることができるようになっている。
【０００９】
また、有料サイトの料金体系は、各有料サイトが独自に規定しており、例えば、ユーザー登録の際に料金を支払った後は、この有料サイトの電子文書を無料で取得することができるようになっている方式や、ユーザー登録した後においても、この有料サイトの電子文書を取得するたびに料金を支払わなければならないようになっている方式等がある。このため、ユーザーは、有料サイトと契約する前に、このような有料サイトの料金体系等について記載されている規約等を読んで確認しておく必要がある。
【００１０】
このような規約等は、契約の申込みフォームと同様に、有料サイトが電子文書として提供しており、ユーザーはハイパーリンク機能を利用して、このような規約等の電子文書を端末装置の表示部に表示させることができる。
【００１１】
また、有料サイト又は無料サイトのいずれであるかを問わず、電子文書の提供について、料金の支払い以外の他の条件を課しているサイトがある。このようなサイトとしては、例えば、ユーザーが一定の年齢に達していることを条件として電子文書を提供するようになっているところがある。
【００１２】
ユーザーは、このような料金の支払い以外の他の条件を課しているサイトから電子文書を取得しようとする場合にも、サイトが規定した条件について記載されている規約等を読んで確認しておく必要がある。このような規約等は、有料サイトの規約等と同様に、条件を課すサイトが電子文書として提供しており、ユーザーはハイパーリンク機能を利用して、このような規約等の電子文書を端末装置の表示部に表示させることができる。
【００１３】
ここで、サイトが提供する電子文書を取得するのに、料金の支払いが必要になることや、一定の年齢に達している必要があること等のように、ユーザーが電子文書を取得するために適合又は承認する必要がある条件であって、サイトが規約等により規定したものを認証条件ということとする。
【特許文献１】特開２００２−１６９６４４号公報
【発明の開示】
【発明が解決しようとする課題】
【００１４】
しかしながら、上記有料サイトと契約する際に、その認証条件についての規約等を十分に読まないユーザーは、有料サイトであることに気付かずに、無料サイトであると誤解してユーザー登録を行なってしまったり、また、ユーザー登録は無料だが、電子文書を取得するたびに料金が課されるようなシステムを無料サイトであると誤解して、有料の電子文書を無料のつもりで取得してしまったりすることがあるという問題があった。
【００１５】
また、年齢等の認証条件に適合している場合にのみ、サイトから電子文書を取得することができるように規定されている場合に、認証条件についての規約等を十分に読まないユーザーは、電子文書を取得するのに、このような認証条件に適合する必要はないと誤解してしまうことがあるという問題があった。
【００１６】
また、悪質なサイトは、電子文書中に記載されている規約等を不必要に長文化または難解化したり、宣伝等の記載の一部を誇張したりすることにより、上記のような料金の支払いや年齢等の認証条件について、故意にユーザーに誤解を生じさせるため、ユーザーに被害が生じるという問題があった。
【００１７】
そこで本発明は、上記問題点に鑑みて、電子文書を取得するためには、この電子文書を有するサイトが規定した認証条件に適合する必要があるにもかかわらず、このことを十分認識しないで、このサイトにうっかり接続してしまうことを防止することができる端末装置、及びその認証条件確認方法、並びに認証条件確認プログラムを提供することを課題とするものである。
【課題を解決するための手段】
【００１８】
上記課題を解決するために、本発明による端末装置は、
任意のサイトに通信接続する通信部と、
文字や画像を含む電子文書を表示する表示部と、
前記表示部に表示される前記電子文書に対して操作を行なう操作部と、
前記表示部に表示中の電子文書に関連付けられている他の電子文書の前記通信部による取得行為が当該他の電子文書を有するサイトにて規定された認証条件に適合する場合にのみ認められている可能性を示すガイダンス、及び特定文字列を記憶する記憶部と、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる制御を行なう制御部とを有することを特徴とするものである。
【００１９】
また、本発明による端末装置は、前記記憶部は、前記特定文字列を複数記憶しているようになっていてもよい。
【００２０】
また、本発明による端末装置は、
前記記憶部は、前記特定文字列それぞれに点数情報を対応付けて記憶しており、
前記制御部は、前記操作部により条件確認操作がなされて前記カウントをする際に、前記特定文字列と一致する文字列の数と前記点数情報とに基づいてカウント値を算出するようになっていてもよい。
【００２１】
また、本発明による端末装置は、
前記特定文字列は、当該特定文字列を構成する一又は複数の文字が前記操作部により変更可能であって、変更後の文字列が前記記憶部に記憶されるようになっていてもよい。
【００２２】
また、本発明による端末装置は、
前記制御部は、前記一の電子文書が前記通信部により通信接続したサイトから取得されたものである場合に限り、前記制御動作を行なうようになっていてもよい。
【００２３】
また、本発明による端末装置は、
前記記憶部は、前記ガイダンスをレベルに応じて複数記憶し、
前記制御部は、前記制御動作を行なう際に、当該制御動作に伴なうカウント値が前記レベルのいずれに該当するかに応じて、前記ガイダンスの一つを前記表示部に表示させるようになっていてもよい。
【００２４】
また、本発明による端末装置は、前記制御部は、前記ガイダンスを前記表示部に表示させる制御動作を行なう際、前記一の電子文書を共に表示し、この一の電子文書中における前記特定文字列と一致する文字列を他の部分と異なる形式で表示させるよう制御するようになっていてもよい。
【００２５】
また、本発明による端末装置は、
前記ガイダンスを前記表示部に表示させる制御動作が行なわれた後に、前記一の電子文書を表示部に表示させる操作が行なわれた場合には、
前記制御部は、前記一の電子文書中における前記特定文字列と一致する文字列を他の部分と異なる形式で表示させるよう制御するようになっていてもよい。
【００２６】
また、上記課題を解決するために、本発明による認証条件確認方法は、
任意のサイトに通信接続する通信部と、
文字や画像を含む電子文書を表示する表示部と、
前記表示部に表示される前記電子文書に対して操作を行なう操作部と、
記憶部と
を備える端末装置の認証条件確認方法であって、
前記記憶部に、前記表示部に表示中の電子文書に関連付けられている他の電子文書の前記通信部による取得行為が当該他の電子文書を有するサイトにて規定された認証条件に適合する場合にのみ認められている可能性を示すガイダンス、及び特定文字列を記憶し、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる制御を行なうことを特徴とするものである。
【００２７】
また、上記課題を解決するために、本発明による認証条件確認プログラムは、
端末装置を、
任意のサイトに通信接続する通信手段と、
文字や画像を含む電子文書を表示する表示手段と、
前記表示手段に表示される前記電子文書に対して操作を行なう操作手段と、
前記表示手段に表示中の電子文書に関連付けられている他の電子文書の前記通信手段による取得行為が当該他の電子文書を有するサイトにて規定された認証条件に適合する場合にのみ認められている可能性を示すガイダンス、及び特定文字列を記憶する記憶手段と、
前記操作部により条件確認操作が行なわれると、前記表示部に表示中の一の電子文書から前記特定文字列を検索して一致する文字列をカウントすると共に、このカウント値が所定数以上の場合には前記ガイダンスを前記表示部に表示させる手段として機能させるためのものであることを特徴とするものである。
【発明の効果】
【００２８】
このような本発明の端末装置、及びその認証条件確認方法、並びに認証条件確認プログラムによれば、電子文書を取得するためには、この電子文書を有するサイトが規定した認証条件に適合する必要があるにもかかわらず、このことを十分認識しないで、このサイトにうっかり接続してしまうことを防止することができる。
【発明を実施するための最良の形態】
【００２９】
以下、本発明に係る端末装置、及びその認証条件確認方法、並びに認証条件確認プログラムの実施の形態について、図面に基づいて具体的に説明する。
図１ないし図９は、本発明の第１の実施の形態に係る携帯電話機２（端末装置に相当）、及びその認証条件確認方法、並びに認証条件確認プログラムについて説明するために参照する図である。
【００３０】
図１は、本実施の形態に係る携帯電話機２の回路構成を示すブロック図である。同図に示すように、携帯電話機２は、通信部４、表示部６、操作部８、音声処理部１０、スピーカー１２、マイクロホン１４、記憶部１６、及びこれらを制御する制御部１８を備えている。
【００３１】
図２に示すように、操作部８は、Ｗｅｂキー８ａ及びソフトキー８ｂ，８ｃ，８ｄを備えている。また、表示部６の表示面には、その最も操作部８寄りの下段部分６ａに、操作部８のソフトキー８ｂ，８ｃ，８ｄのそれぞれに対応する機能ガイダンス６ｂ，６ｃ，６ｄが表示されるようになっている。そして、表示部６には、その下段部分６ａの上側の最も広い中段部分６ｅに電子文書等の画面が表示されるようになっている。
【００３２】
操作部８のソフトキー８ｂ，８ｃ，８ｄのいずれかを押下する操作が行なわれたときには、この操作に対応する制御部１８の処理動作は、表示部６の中段部分６ｅに表示される画面が切替えられるたびに異なる内容になるため、ソフトキー８ｂ，８ｃ，８ｄのそれぞれの現在の操作内容は、表示部６の機能ガイダンス６ｂ，６ｃ，６ｄにその内容が表示されるようになっている。
【００３３】
また、中段部分６ｅに表示される画面によっては、例えばソフトキー８ｂを操作しても、この操作に対応する制御部１８の処理動作が行なわれないような場合があり、このような場合にはこのソフトキー８ｂに対応する機能ガイダンス６ｂは表示されないようになっている。
【００３４】
また、ソフトキー８ｃ，８ｄのそれぞれに対応する機能ガイダンス６ｃ，６ｄも、機能ガイダンス６ｂと同様に、ソフトキー８ｃ，８ｄのそれぞれに対応する制御部１８の処理動作が行なわれないような場合には、表示されないようになっている。
【００３５】
このような機能ガイダンス６ｂ，６ｃ，６ｄのそれぞれを表示したり表示しないようにしたりする制御は、制御部１８が行なうようになっている。また、機能ガイダンス６ｂ，６ｃ，６ｄのそれぞれに表示されるソフトキー８ｂ，８ｃ，８ｄの操作内容の標記は、予め記憶部１６に記憶されており、制御部１８が、表示部６の中段部分６ｅに表示される画面に基づいて、操作内容の標記のいずれを機能ガイダンス６ｂ，６ｃ，６ｄとして表示させるのかを判断するようになっている。
【００３６】
また、図１に示す記憶部１６には、制御部１８に後述の処理動作を行なわせる認証条件確認プログラム３、規約判定用文字列テーブル２０、特定文字列テーブル２２、及び画面データテーブル２４が記憶されている。
【００３７】
図３は、図１の記憶部１６の詳細を示した図である。同図に示すように、規約判定用文字列テーブル２０は、電子文書中に規約又は規約に類する文章が記載されているかどうかを判断する際の基礎になる規約判定用文字列を有している。規約判定用文字列テーブル２０は、このような規約判定用文字列として、「規約」、「約款」、「契約」、「条項」等の文字列を有している。
【００３８】
また、特定文字列テーブル２２は、通信回線網上のサイトが、電子文書の取得に料金の支払いを認証条件としている場合に、その規約又は規約に類する文章中に用いられる可能性のある文字列を有している。特定文字列テーブル２２は、このような特定文字列として、「無料」、「有料」、「支払」、「利用料」等の文字列を有している。
【００３９】
また、画面データテーブル２４は、電子文書に記載されている規約又は規約に類する文章中において、後述するような制御部の処理動作によりカウントされた特定文字列と一致する文字列の個数（カウント値）の範囲（画面データテーブル２４中の上段）、及び画面データ２４ａ，２４ｂ，２４ｃ（画面データテーブル２４中の下段）を、互いに対応させるようにして有している。
【００４０】
画面データ２４ａ，２４ｂのそれぞれは、接続しようとしているサイトが有料サイトであって、その電子文書を取得するためには料金の支払いが条件になっている可能性があることを示唆する内容になっている。
【００４１】
すなわち、画面データ２４ａ，２４ｂのそれぞれは、携帯電話機２の表示部６に表示中の電子文書に関連付けられている他の電子文書の取得行為が、当該他の電子文書を有するサイトにて規定された認証条件に適合する場合にのみ認められている可能性があることを示唆する内容になっている。また、画面データ２４ｃは、有料サイトである可能性が低いことを示唆する内容になっている。
【００４２】
また、この携帯電話機２は、従来の一般的な携帯電話機と同様に、図１に示す通信部４が図示しない最寄りの基地局を介して通信回線に接続するようになっており、操作部８による発呼又は着呼の受取りの操作が行なわれると、音声処理部１０、スピーカー１２、及びマイクロホン１４により通話することができるようになっている。
【００４３】
また、携帯電話機２は、図２に示すＷｅｂキー８ａを押下すると、図示しないが、接続可能な複数のサイトの名称がメニューとして表示部６の中段部分６ｅに表示され、そのいずれかを指定する操作を行なうと、指定されたサイトに通信接続してその電子文書を取得し、この電子文書を表示部６の中段部分６ｅに表示するようになっている。
【００４４】
また、携帯電話機２は、表示部６に電子文書を表示した後には、従来の一般的な携帯電話機と同様に、ハイパーリンク機能により、表示中の電子文書における、他の電子文書等に関連付けられている記載部分を指定することにより、連鎖的に次々と他の電子文書等を表示部６に表示させていくことができるようになっている。
【００４５】
次に、ユーザーの操作により、携帯電話機２の表示部６に、ユーザー登録等の契約を促す電子文書が表示された場合に、このような契約を行なうことにより通信接続することができるようになるサイトが、有料サイトである可能性があるかどうかを判断する制御部１８の処理動作を、図４及び図５のフローチャートに基づいて説明する。このような図４及び図５のフローチャートに示す制御部１８の処理動作は、記憶部１６に記憶されている認証条件確認プログラム３（図３参照）に基づいて行なわれる。
【００４６】
例えば、ユーザーがハイパーリンク機能を利用する操作を行なったことにより、図６に示すようなユーザー登録を促す電子文書４０が表示部６の中段部分６ｅに表示されたとする。このような電子文書４０を一見しただけでは、このユーザー登録を有料サイトに対して行なうことになるのか、又は無料サイトに対して行うことになるのかが分からない。
【００４７】
このような場合にユーザーは、このユーザー登録についての規約を読むために、「利用規約を読む」の記載部分を指定する操作を行なうことにより、ハイパーリンク機能を動作させ、図７に示すような規約の電子文書４２を表示部６の中段部分６ｅに表示させることになる。
【００４８】
ここで、図７に示す電子文書４２は、実際には図８に示すような情報量が多いものであるために、その一部だけが表示部６の中段部分６ｅに表示されるようになっている。この電子文書４２における、表示部６の中段部分６ｅに表示されている部分以外の他の部分は、画面スクロールの操作を行なって見ることができる。
【００４９】
図４及び図５のフローチャートに基づく制御部１８の処理動作は、このような規約の電子文書４２が表示部６に表示されているときに、ユーザーが契約を行なうことにより通信接続することができるようになるサイトが、有料サイトである可能性があるかどうかを判断することができるようになっているものである。
【００５０】
携帯電話機２の表示部６に新たな電子文書が表示された場合には（図４中、ステップＳ１０１）、制御部１８は、この電子文書中に、図３に示す規約判定用文字列テーブル２０が有している規約判定用文字列のいずれかと一致する文字列が存在するかどうかどうかを検索するようになっている（図４中、ステップＳ１０２）。
【００５１】
表示部６に表示されている電子文書に、規約判定用文字列のいずれかと一致する文字列が存在しない場合には（ステップＳ１０２のＮＯ）、制御部１８は、この電子文書には、規約又は規約に類する文章は記載されていないものと判断して、ステップＳ１０３以降の処理動作は行なわないようになっている。
【００５２】
また、図８に示すような電子文書４２が表示部６に表示されて、規約判定用文字列のいずれかと一致する文字列が存在する場合には（ステップＳ１０２のＹＥＳ）、制御部１８は、ステップＳ１０３において、表示部６に表示されている電子文書が、通信回線網上のサイトから取得したものであるかどうかを判断するようになっている。このような判断は、例えば、ＵＲＬ（Ｕｎｉｆｏｒｍ  Ｒｅｓｏｕｒｃｅ  Ｌｏｃａｔｏｒ）のような、電子文書の元の所在を示す情報に基づいて行なうことができる。
【００５３】
そして、表示部６に表示されている電子文書が、通信回線網上のサイトから取得したものではないと判断した場合には（ステップＳ１０３のＮＯ）、制御部１８は、ステップＳ１０４以降の処理動作は行なわないようになっている。
【００５４】
このような電子文書が通信回線網上のサイトから取得したものでない場合としては、この電子文書が予め携帯電話機２の記憶部１６に記憶されていた場合や、外部の他の記憶装置に記憶されていたものを読込んだ場合がある。
【００５５】
また、ステップＳ１０３において、表示部６に表示されている電子文書が、通信回線網上のサイトから取得したものであると判断した場合には（ステップＳ１０３のＹＥＳ）、制御部１８は、図２に示すように、ソフトキー８ｄにより条件確認操作を行なうことができることを示す機能ガイダンス６ｄを表示させるようになっている（図４中、ステップＳ１０４）。
【００５６】
そして、ソフトキー８ｄが押下されずに他の操作が行なわれた場合（ステップＳ１０５のＮＯ）、すなわち、条件確認操作が行なわれなかった場合には、表示部６に現在表示されている電子文書に対しては、ステップＳ１０６以降の処理動作は行なわれない。また、表示中の機能ガイダンス６ｄを非表示の状態に戻すようになっている。
【００５７】
また、ソフトキー８ｄが押下された場合（ステップＳ１０５のＹＥＳ）、すなわち、条件確認操作が行なわれた場合には、制御部１８は、表示部６に表示されている電子文書に、図３に示す特定文字列テーブル２２が有している特定文字列のいずれかと一致する文字列がいくつ含まれているかをカウントするようになっている（図５中、ステップＳ１０６）。すなわち、図８に示すような電子文書４２に対して、特定文字列のいずれかと一致する文字列がいくつ含まれているかをカウントするようになっている。
【００５８】
そして、制御部１８は、このような電子文書中における特定文字列と一致する文字列の個数に基づいて、図３に示す画面データ２４ａ，２４ｂ，２４ｃのいずれかを選択し、このような画面データ２４ａ，２４ｂ，２４ｃのいずれかを、現在表示中の電子文書に代えて表示部６の中段部分６ｅに表示するようになっている（図５中、ステップＳ１０７ないしＳ１１０）。
【００５９】
すなわち、電子文書中に特定文字列と一致する文字列がＮ個以上含まれている場合には（ステップＳ１０７の「Ｎ個以上」）、図３に示す画面データ２４ａを表示部６の中段部分６ｅ（図２参照）に表示するようになっている。
【００６０】
また、電子文書中に特定文字列と一致する文字列が、１個以上Ｎ個未満だけ含まれている場合には（図５中、ステップＳ１０７の「１個以上Ｎ個未満」）、図３に示す画面データ２４ｂを表示部６の中段部分６ｅに表示するようになっている。
【００６１】
また、電子文書中に特定文字列と一致する文字列が全く含まれていない場合には（図５中、ステップＳ１０７の「０個」）、図３に示す画面データ２４ｃを表示部６の中段部分６ｅに表示するようになっている。
【００６２】
そして、制御部１８は、図５のステップＳ１０８ないしＳ１１０のいずれかの処理動作を行なった後に、表示部６の中段部分６ｅに現在表示中の画面データ２４ａ，２４ｂ，２４ｃのいずれかに代えて、ソフトキー８ｂを押下することにより、この表示中の画面データ２４ａ，２４ｂ，２４ｃのいずれかの直前に表示していた電子文書を再表示させることができることを示す、機能ガイダンス６ｂ（図２参照）を表示させるようになっている（図５中、ステップＳ１１１）。
【００６３】
ソフトキー８ｂが押下された場合には（ステップＳ１１２のＹＥＳ）、制御部１８は、表示部６に電子文書を再表示するようになっている（ステップＳ１１３）。ここで、制御部１８は、電子文書中における特定文字列と一致している文字列を、このような特定文字列と一致している文字列を除く他の部分と異なる形式で表示させるようになっている。
【００６４】
例えば、図８に示す電子文書４２が表示部６に再表示されたような場合には、図９に示すように、この電子文書４２中において特定文字列と一致している「利用料」、「額」、「支払」等の文字列だけを、枠で囲んで表示させるようになっている。
【００６５】
また、表示部６に電子文書を再表示した場合には、制御部１８は、機能ガイダンス６ｄを非表示の状態に戻すようになっている。
【００６６】
また、ステップＳ１１２において、ソフトキー８ｂが押下されずに他の操作が行なわれた場合には（ステップＳ１１２のＮＯ）、制御部１８は、電子文書の再表示を行なわないようになっている。
【００６７】
このような第１の実施の携帯に係る携帯電話機２、及びその認証条件確認方法、並びに認証条件確認プログラム３によれば、電子文書を取得するためには、この電子文書を有するサイトが規定した認証条件に適合する必要があるにもかかわらず、このことを十分認識しないで、このサイトに接続してしまうことを防止することができる。
【００６８】
すなわち、接続しようとしているサイトが有料サイトであって、その電子文書を取得するためには料金の支払いが条件になっている可能性があることを示唆する画面データ２４ａ，２４ｂを表示するようになっているので、有料サイトを無料サイトであると誤認して、このような有料サイトに対しユーザー登録等を行なって接続してしまうことを防止することができる。
【００６９】
また、表示部６に表示した電子文書に規約判定用文字列と一致する文字列が存在する場合には、機能ガイダンス６ｄを表示させるようになっているので、ユーザーに条件確認操作を行なうよう促すことができるようになっている。
【００７０】
次に、図１０及び図１１に基づいて、本発明の第２の実施の形態に係る携帯電話機５０、及びその認証条件確認方法、並びに認証条件確認プログラム５１について説明する。前記第１の実施の形態に係る携帯電話機２及び認証条件確認プログラム３と同様の部分には同じ符号を付して説明し、同様の構成及び処理動作等についての重複する説明は省略するものとする。
【００７１】
本実施の形態に係る携帯電話機５０は、図１０に示すように、その記憶部１６に、前記第１の実施の形態に係る特定文字列テーブル２２及び画面データテーブル２４に代えて、特定文字列テーブル５２及び画面データテーブル５４を有するようになっている。
【００７２】
特定文字列テーブル５２は、前記第１の実施の形態の特定文字列テーブル２２と同様に、特定文字列を有するようになっている他に、この特定文字列のそれぞれに対応するポイント（点数情報）を有するようになっている。
【００７３】
また、画面データテーブル５４は、前記第１の実施の形態の画面データテーブル２４と同様に、画面データ５４ａ，５４ｂ，５４ｃを有するようになっている。
【００７４】
前記第１の実施の形態において、画面データテーブル２４の画面データ２４ａ，２４ｂ，２４ｃのそれぞれは、電子文書に記載されている規約又は規約に類する文章中における、特定文字列と一致する文字列の個数の範囲と互いに対応するようになっていたが、本実施の形態では、画面データ５４ａ，５４ｂ，５４ｃのそれぞれは、特定文字列と一致する文字列のそれぞれを特定文字列テーブル５２の対応するポイントに置換えてこれらを積算した、合計ポイント（カウント値）の範囲（画面データテーブル５４中の上段）に対応するようになっている。
【００７５】
また、本実施の形態に係る携帯電話機５０の制御部１８は、認証条件確認プログラム５１に基づいて、前記第１の実施の形態における図４のステップＳ１０１ないしＳ１０５までの処理動作と同様の処理動作を行なった後に、図１１に示すようなステップＳ２０６ないしＳ２１３の処理動作を行なうようになっている。
【００７６】
すなわち、図４のステップＳ１０５において条件確認操作が行なわれた場合には（ステップＳ１０５のＹＥＳ）、制御部１８は、表示部６に表示されている電子文書について、図１０に示す特定文字列テーブル５２の特定文字列のいずれかと一致する文字列を、その特定文字列に対応するポイントに置換えて積算し、合計ポイントを求めるようになっている（図１１中、ステップＳ２０６）。
【００７７】
そして、制御部１８は、このような合計ポイントに基づいて、図１０に示す画面データ５４ａ，５４ｂ，５４ｃのいずれかを選択し、このような画面データ５４ａ，５４ｂ，５４ｃのいずれかを、現在表示中の電子文書に代えて表示部６の中段部分６ｅに表示するようになっている（図１１中、ステップＳ２０７ないしＳ２１０）。
【００７８】
そして、制御部１８は、図１１のステップＳ２０８ないしＳ２１０のいずれかの処理動作を行なった後のステップＳ２１１ないしＳ２１３において、図４のステップＳ１１１ないしＳ１１３と同様の処理動作を行なうようになっている。
【００７９】
このような第２の実施の形態に係る携帯電話機５０、及びその認証条件確認方法、並びに認証条件確認プログラム５１によれば、前記第１の実施の形態と同様に、電子文書を取得するためには、この電子文書を有するサイトが規定した認証条件に適合する必要があるにもかかわらず、このことを十分認識しないで、このサイトにうっかり接続してしまうことを防止することができる。
【００８０】
すなわち、接続しようとしているサイトが有料サイトであって、その電子文書を取得するためには料金の支払いが条件になっている可能性があることを示唆する画面データ５４ａ，５４ｂを表示するようになっているので、有料サイトを無料サイトであると誤認して、このような有料サイトに対しユーザー登録等を行なって接続してしまうことを防止することができる。
【００８１】
また、前記第１の実施の形態と同様に、表示部６に表示した電子文書に規約判定用文字列と一致する文字列が存在する場合には、機能ガイダンス６ｄを表示させるようになっているので、ユーザーに条件確認操作を行なうよう促すことができるようになっている。
【００８２】
なお、前記第１及び第２の実施の形態においては、有料サイトを無料サイトであると誤解して、このような有料サイトに対しユーザー登録等を行なって接続してしまうことを防止するために、特定文字列テーブル２２，５２が料金の支払い等に関する文字列を特定文字列として有するようになっていたが、この特定文字列テーブル２２，５２が料金の支払い等に関する文字列以外の他の文字列を有するようになっていてもよい。
【００８３】
例えば、特定文字列テーブル２２，５２が、特定文字列として「２０歳」、「未成年」等の年齢に関する文字列を有するようになっていれば、一定の年齢に達していることを認証条件として規定するサイトに接続してしまうことを防止することができる。
【００８４】
また、前記第１及び第２の実施の形態では、図５に示すフローチャートのステップＳ１０７、又は図１１に示すフローチャートのステップＳ２０７において、特定文字列と一致する文字列がＮ個以上であると判断されたときには、制御部１８は、ステップＳ１０８ないしＳ１１０のいずれか、又はステップＳ２０８ないしＳ２１０のいずれかにおいて、表示部６に画面データ２４ａ，２４ｂ，２４ｃのいずれか、又は画面データ５４ａ，５４ｂ，５４ｃのいずれかを表示させるような処理動作を行なうようになっていたが、このような処理動作に代えて、又はこのような処理動作と共に、当該電子文書に関連付けられているサイトへのアクセスを禁止したり、アクセス要求時に注意喚起を要求する別途のガイダンスを表示したりするようになっていてもよい。
【００８５】
また、前記第１及び第２の実施の形態に係る携帯電話機２，５０は、特定文字列テーブル２２，５２が有する特定文字列について、この特定文字列を構成する一又は複数の文字を操作部８により変更することができるようになっていて、特定文字列テーブル２２，５２が変更後の文字列を有するよう記憶部１６が記憶するようになっていてもよい。
【００８６】
また、前記第１及び第２の実施の形態においては、制御部１８は、条件確認操作が行なわれたときに、図５に示すフローチャートのステップＳ１０６以降の処理動作、又は図１１に示すフローチャートのステップＳ２０６以降の処理動作を行なうようになっていたが、図６に示すようなユーザー登録を促す電子文書４０が表示されているときに、「利用規約を読む」のような、規約又は規約に類する電子文書に直接関連付けられている記載部分を指定する操作が行なわれた場合には、図５のフローチャートにおけるステップＳ１０２の処理動作と同様の処理動作により、指定した記載部分が規約又は規約に類する電子文書に直接関連付けられていることを判断すると共に、この電子文書４０に対しステップＳ１０６以降の処理動作、又は図１１に示すフローチャートのステップＳ２０６以降の処理動作を行なうようになっていてもよい。
【００８７】
また、前記第１及び第２の実施の形態においては、利用規約の電子文書を取得してから、この電子文書を表示部６に一度表示させ、その上で条件確認操作を行なうようになっていたが、前記第１及び第２の実施の形態とは異なる他の実施の形態として、条件確認操作を利用規約の電子文書の表示前に行なうようになっていてもよい。
【００８８】
つまり、図示しないが、利用規約の電子文書を取得する旨の記載と、利用規約を読み飛ばして他の情報取得の要求を行なう旨の記載とが、このような記載のそれぞれの処理動作を行なうハイパーリンク機能の選択肢として含まれている「契約約款」の電子文書が表示部６に表示されている場合において、利用規約の電子文書を取得する旨の記載の選択肢にカーソルを合わせた状態で条件確認操作が行なわれたときには、制御部１８の処理動作により、選択肢を決定する操作が行なわれなくても利用規約の電子文書を取得し、これを記憶部１６上に展開した後に、図５のステップＳ１０６又は図１１のステップＳ２０６と同様に、特定文字列が含まれるかどうかの検索作業を行なうようになっていてもよい。
【００８９】
このような場合には、利用規約の電子文書自体は表示部６に表示させないようにして、検索作業をバックグラウンドで行なうようになっていてもよい。そして、特定文字列が含まれていた場合には、前記第１又は第２の実施の形態と同様に、図５のステップＳ１０７ないしＳ１１０、又は図１１のステップＳ２０７ないしＳ２１０と同様の処理動作を行なうことにより、画面データ２４ａ，２４ｂのいずれか、又は画面データ５４ａ，５４ｂのいずれかを表示部６に表示させ、利用規約の熟読の必要性をユーザーに認識させるようにする。
【００９０】
また、ユーザーが、このような画面データ２４ａ，２４ｂのいずれか、又は画面データ５４ａ，５４ｂのいずれかを見たことにより、「契約約款」の電子文書中における、利用規約の電子文書を取得する旨の記載の選択肢を決定する操作を行なった場合には、既に取得して記憶部１６に記憶されている利用規約の電子文書を表示部６に表示させるようになっていてもよい。また、この利用規約の電子文書における特定文字列と一致する文字列は、枠で囲まれて表示されるようにすること等により、他の文字列とは異なる形式で表示するようにして、差別化するようになっていてもよい。
【００９１】
このようにすれば、利用規約など、長文であることが予測される電子文書の条件確認をより簡単に行なうことができるようになる。
【００９２】
また、前記第１及び第２の実施の形態、並びに上記第１及び第２の実施の形態とは異なる他の実施の形態では、ガイダンスの画面データ２４ａ，２４ｂ，２４ｃ，５４ａ，５４ｂ，５４ｃの表示を完了した後に、利用規約の電子文書を表示し、その特定文字列と一致する文字列を枠で囲んで表わすこと等により他の文字列と差別化して表示する場合について説明したが、これに限られず、たとえば、画面データ２４ａ，２４ｂ，２４ｃ，５４ａ，５４ｂ，５４ｃを表示部６の中段部分６ｅ（図２参照）の一部の領域に表示させ、特定文字列と一致する文字列を枠で囲むように表した利用規約の電子文書が、画面データ２４ａ，２４ｂ，２４ｃ，５４ａ，５４ｂ，５４ｃの下側に重なるように表示したり、互いに隣り合うように表示したりすることにより、ユーザーが、画面データ２４ａ，２４ｂ，２４ｃ，５４ａ，５４ｂ，５４ｃと利用規約の電子文書の両方を同時に見ることができるようにしてもよい。このようにすれば、どこの表現に特に注意すべきなのかユーザーは一目で判断が付き易くなる。
【００９３】
また、前記第１及び第２の実施の形態において、認証条件確認プログラム３，５１は、ブラウザのプログラムと協働するようになっていて、認証条件確認プログラム３，５１はブラウザとは別のプログラムであったが、認証条件確認プログラム３，５１は、その一部にブラウザのプログラムを含むように構成されていてもよい。
【００９４】
また、前記第１及び第２の実施の形態においては、携帯電話機２，５０に本発明を適用した場合について説明したが、携帯電話機２，５０以外の、ＰＤＡ（Ｐｅｒｓｏｎａｌ  Ｄｉｇｉｔａｌ  Ａｓｓｉｓｔａｎｔ）のような、他の携帯端末装置についても本発明を適用することができることはいうまでもない。
【００９５】
また、前記第１及び第２の実施の形態においては、携帯電話機２，５０の記憶部１６に、認証条件確認プログラム３，５１、規約判定用文字列テーブル２０、特定文字列テーブル２２，５２、及び画面データテーブル２４，５４が記憶されて、制御部１８がこの認証条件確認プログラム３，５１に基づいて処理動作を行なうようになっていたが、認証条件確認プログラム３，５１、規約判定用文字列テーブル２０、特定文字列テーブル２２，５２、及び画面データテーブル２４，５４をパソコン等の汎用コンピュータの記憶部に記憶させて、この汎用コンピュータに図４及び図５若しくは図１１に示すフローチャートと同様の処理動作を行なわせるようになっていてもよい。
【００９６】
すなわち、前記第１及び第２の実施の形態の説明では、携帯電話機２，５０を例にしたが、これに限定されるものではなく、通信回線上に構築されるネットワークに接続されて電子文書を供給可能なサーバー、及びサーバーを用いて運営されるサイトへ通信接続することができる端末装置であればよく、パーソナルコンピューター、ＰＨＳ（Ｐｅｒｓｏｎａｌ  Ｈａｎｄｙ  ｐｈｏｎｅ  Ｓｙｓｔｅｍ）、通信機能を有するＰＤＡやカーナビゲーションシステムなどにおいても、本発明を実施することができることはいうまでもない。
【図面の簡単な説明】
【００９７】
【図１】本発明の第１及び第２の実施の形態に係る携帯電話機２，５０の回路構成を示すブロック図である。
【図２】本発明の第１及び第２の実施の形態に係る携帯電話機２，５０を示す平面図である。
【図３】本発明の第１の実施の形態に係る記憶部１６の概念図である。
【図４】本発明の第１の実施の形態における制御部１８の動作手順を示すフローチャートである。
【図５】本発明の第１の実施の形態における制御部１８の動作手順を示すフローチャートである。
【図６】図２に示す表示部６に電子文書４０が表示された状態を示す部分平面図である。
【図７】図２に示す表示部６に電子文書４２の一部が表示された状態を示す部分平面図である。
【図８】図７に示す電子文書４２を示す概念図である。
【図９】図７に示す電子文書４２を示す概念図であって、文字列の一部が他の部分と異なる形式で表示された状態を示す図である。
【図１０】本発明の第２の実施の形態に係る記憶部１６の概念図である。
【図１１】本発明の第２の実施の形態における制御部１８の動作手順を示すフローチャートである。
【符号の説明】
【００９８】
２  携帯電話機
３  認証条件確認プログラム
４  通信部
６  表示部
６ａ  下段部分
６ｂ，６ｃ，６ｄ  機能ガイダンス
６ｅ  通段部分
８  操作部
８ａ  Ｗｅｂキー
８ｂ，８ｃ，８ｄ  ソフトキー
１０  音声処理部
１２  スピーカー
１４  マイクロホン
１６  記憶部
１８  制御部
２０  規約判定用文字列テーブル
２２  特定文字列テーブル
２４  画面データテーブル
２４ａ，２４ｂ，２４ｃ  画面データ
４０，４２  電子文書
５０  携帯電話機
５１  認証条件確認プログラム
５２  特定文字列テーブル
５４  画面データテーブル
５４ａ，５４ｂ，５４ｃ  画面データ
【図１】
2006155007.tif 000003
【図２】
2006155007.tif 000004
【図３】
2006155007.tif 000005
【図４】
2006155007.tif 000006
【図５】
2006155007.tif 000007
【図６】
2006155007.tif 000008
【図７】
2006155007.tif 000009
【図８】
2006155007.tif 000010
【図９】
2006155007.tif 000011
【図１０】
2006155007.tif 000012
【図１１】
2006155007.tif 000013